【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  自己のネットワークに所属する移動端末の通信を管理するホームエージェントに用いられるハンドオーバプログラムであって、前記移動端末の訪問先ネットワークの近隣に存在するエージェントのアドレスリストを作成するアドレスリスト作成手順と、前記アドレスリストに登録された全てのエージェントに前記移動端末の認証情報を通知する認証情報通知手順と、前記移動端末宛てのパケットを受信するとそのパケットを前記アドレスリストに登録された全てのエージェントに転送するパケット転送手順と、を具備することを特徴とするハンドオーバプログラム。
【請求項２】  自己のネットワークに所属する移動端末の通信を管理するホームエージェントに用いられるハンドオーバプログラムであって、ネットワーク接続された全てのエージェント夫々に隣接する全てのエージェントのアドレス情報を保持するアドレス情報保持手順と、通信を管理する移動端末のハンドオーバ先ネットワークのエージェントに隣接する全てのエージェントのアドレスリストを作成するアドレスリスト作成手順と、前記アドレスリストに登録された全てのエージェントに前記移動端末の認証情報を通知する認証情報通知手順と、前記移動端末宛てのパケットを受信するとそのパケットを前記アドレスリストに登録された全てのエージェントに転送するパケット転送手順と、を具備することを特徴とするハンドオーバプログラム。
【請求項３】  自己のネットワークに所属する移動端末の通信を管理するホームエージェントに用いられるハンドオーバプログラムであって、ネットワーク接続された全てのエージェント夫々の物理的位置情報を保持し、前記移動端末の過去の移動履歴から移動履歴ベクトルを作成する移動履歴ベクトル作成手順と、前記移動端末の訪問先ネットワークの近隣に存在するエージェントの位置関係を表す物理的位置ベクトルを作成する物理的位置ベクトル作成手順と、作成された移動履歴ベクトルと物理的位置ベクトルの関係から前記移動端末が次にハンドオーバするネットワークのエージェントの候補を特定するハンドオーバ先エージェント候補特定手順と、を具備することを特徴とするハンドオーバプログラム。
【請求項４】  ホームエージェントが通信を管理する移動端末の訪問を受けるエージェントに用いられるハンドオーバプログラムであって、前記ホームエージェントから前記移動端末の認証情報の通知を受けるとその認証情報を保持する認証情報保持手順と、前記移動端末から登録要求があると前記認証情報を用いてその移動端末の認証を行いその結果を前記ホームエージェントに通知する認証手順と、認証した前記移動端末のホームエージェントから移動端末宛てのパケットが転送されてくると直ちにそのパケットの転送を行うパケット転送手順と、を具備することを特徴とするハンドオーバプログラム。
【請求項５】  ホームエージェントが通信を管理する移動端末の訪問を受けるエージェントに用いられるハンドオーバプログラムであって、隣接する全てのエージェントのアドレス情報をアドレスデータベースとして保持するアドレス情報保持手順と、前記ホームエージェントからの前記アドレスデータベース参照を可能にするアドレスデータベース参照手順と、を具備することを特徴とするハンドオーバプログラム。
【請求項６】  ホームエージェントが通信を管理する移動端末の訪問を受けるエージェントに用いられるハンドオーバプログラムであって、前記移動端末から定期的に送信される当該移動端末のアドレス情報とその移動端末が所属するホームエージェントのアドレス情報を受信すると、自身のエージェントのアドレス情報と前記移動端末のアドレス情報をホームエージェントに通知するアドレス情報通知手順を具備することを特徴とするハンドオーバプログラム。
【請求項７】  ホームエージェントが通信を管理する移動端末に用いられるハンドオーバプログラムであって、エージェントから定期的に送信される当該エージェントのアドレス情報を受信すると、そのアドレス情報と自身の移動端末のアドレス情報を前記ホームエージェントに通知するアドレス情報通知手順を具備することを特徴とするハンドオーバプログラム。
【請求項８】  請求項１又は請求項２のいずれかに記載のハンドオーバプログラムを記憶し、記憶したハンドオーバプログラムに従ってハンドオーバ制御を行うことを特徴とするネットワーク中継装置。
【請求項９】  請求項４に記載のハンドオーバプログラムを記憶し、記憶したハンドオーバプログラムに従ってハンドオーバ制御を行うことを特徴とするネットワーク中継装置。
【請求項１０】  請求項８に記載のネットワーク中継装置と、請求項９に記載のネットワーク中継装置と、を具備することを特徴とする無線移動体通信システム。
【請求項１１】  請求項３、請求項５又は請求項６のいずれかに記載のハンドオーバプログラムを記憶し、記憶したハンドオーバプログラムに従ってハンドオーバ制御を行うことを特徴とするネットワーク中継装置。
【請求項１２】  請求項１１に記載のネットワーク中継装置を具備することを特徴とする無線移動体通信システム。
【請求項１３】  請求項７に記載のハンドオーバプログラムを記憶し、記憶したハンドオーバプログラムに従ってハンドオーバ制御を行うことを特徴とする移動端末。
【請求項１４】  請求項１３に記載の移動端末を具備することを特徴とする無線移動体通信システム。
【手続補正２】
【補正対象書類名】明細書
【補正対象項目名】００１７
【補正方法】変更
【補正の内容】
【００１７】
【課題を解決するための手段】
請求項１に係る発明のハンドオーバプログラムは、自己のネットワークに所属する移動端末の通信を管理するホームエージェントに用いられるハンドオーバプログラムであって、前記移動端末の訪問先ネットワークの近隣に存在するエージェントのアドレスリストを作成するアドレスリスト作成手順と、前記アドレスリストに登録された全てのエージェントに前記移動端末の認証情報を通知する認証情報通知手順と、前記移動端末宛てのパケットを受信するとそのパケットを前記アドレスリストに登録された全てのエージェントに転送するパケット転送手順と、を具備する。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
請求項２に係る発明のハンドオーバプログラムは、自己のネットワークに所属する移動端末の通信を管理するホームエージェントに用いられるハンドオーバプログラムであって、ネットワーク接続された全てのエージェント夫々に隣接する全てのエージェントのアドレス情報を保持するアドレス情報保持手順と、通信を管理する移動端末のハンドオーバ先ネットワークのエージェントに隣接する全てのエージェントのアドレスリストを作成するアドレスリスト作成手順と、前記アドレスリストに登録された全てのエージェントに前記移動端末の認証情報を通知する認証情報通知手順と、前記移動端末宛てのパケットを受信するとそのパケットを前記アドレスリストに登録された全てのエージェントに転送するパケット転送手順と、を具備する。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
請求項３に係る発明のハンドオーバプログラムは、自己のネットワークに所属する移動端末の通信を管理するホームエージェントに用いられるハンドオーバプログラムであって、ネットワーク接続された全てのエージェント夫々の物理的位置情報を保持し、前記移動端末の過去の移動履歴から移動履歴ベクトルを作成する移動履歴ベクトル作成手順と、前記移動端末の訪問先ネットワークの近隣に存在するエージェントの位置関係を表す物理的位置ベクトルを作成する物理的位置ベクトル作成手順と、作成された移動履歴ベクトルと物理的位置ベクトルの関係から前記移動端末が次にハンドオーバするネットワークのエージェントの候補を特定するハンドオーバ先エージェント候補特定手順と、を具備する。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
請求項４に係る発明のハンドオーバプログラムは、ホームエージェントが通信を管理する移動端末の訪問を受けるエージェントに用いられるハンドオーバプログラムであって、前記ホームエージェントから前記移動端末の認証情報の通知を受けるとその認証情報を保持する認証情報保持手順と、前記移動端末から登録要求があると前記認証情報を用いてその移動端末の認証を行いその結果を前記ホームエージェントに通知する認証手順と、認証した前記移動端末のホームエージェントから移動端末宛てのパケットが転送されてくると直ちにそのパケットの転送を行うパケット転送手順と、を具備する。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
請求項５に係る発明のハンドオーバプログラムは、ホームエージェントが通信を管理する移動端末の訪問を受けるエージェントに用いられるハンドオーバプログラムであって、隣接する全てのエージェントのアドレス情報をアドレスデータベースとして保持するアドレス情報保持手順と、前記ホームエージェントからの前記アドレスデータベース参照を可能にするアドレスデータベース参照手順と、を具備する。
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】変更
【補正の内容】
【００２７】
請求項６に係る発明のハンドオーバプログラムは、ホームエージェントが通信を管理する移動端末の訪問を受けるエージェントに用いられるハンドオーバプログラムであって、前記移動端末から定期的に送信される当該移動端末のアドレス情報とその移動端末が所属するホームエージェントのアドレス情報を受信すると、自身のエージェントのアドレス情報と前記移動端末のアドレス情報をホームエージェントに通知するアドレス情報通知手順を具備する。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】変更
【補正の内容】
【００２９】
請求項７に係る発明のハンドオーバプログラムは、ホームエージェントが通信を管理する移動端末に用いられるハンドオーバプログラムであって、エージェントから定期的に送信される当該エージェントのアドレス情報を受信すると、そのアドレス情報と自身の移動端末のアドレス情報を前記ホームエージェントに通知するアドレス情報通知手順を具備する。
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】